(57)【要約】【課題】  螺子式ターミナルでも、省スペースで、かつ、外部リードの取り付け作業を容易にできるスピーカへの入力用ターミナル等のターミナル装置を、提供する。【解決手段】  ターミナルプレート１に保持されその外周に螺子２ａが施されたシャフト部材２と、該シャフト部材２に電気的に接続された接続片３と、前記シャフト部材２に螺合されて外部リード５を圧接接続するつまみ４とを備え、前記シャフト部材２は、軸頂部２ｂより外部リード５を軸方向に挿入可能に開けられた軸孔２ｃと、該軸孔２ｃの奥端部よりシャフト外周部に貫通する傾斜孔２ｄと、該傾斜孔が臨むシャフト外周部に配置したワッシャ部２ｅを有し、前記つまみ４は、前記シャフト部材２にその頂部側より螺合され、先端４ｃが前記軸孔２ｃと傾斜孔２ｄを介してシャフト外周部に突出する外部リード５をワッシャ部２ｅに圧接可能に構成した。【選択図】  図１
2007280834.tif 000002
【特許請求の範囲】
【請求項１】
ターミナルプレートに保持されその外周に螺子が施されたシャフト部材と、該シャフト部材に電気的に接続された接続片と、前記シャフト部材に螺合されて外部リードを圧接接続するつまみとを備えたターミナル装置であって、
前記シャフト部材は、軸頂部より外部リードを軸方向に挿入可能に開けられた軸孔と、該軸孔の奥端部よりシャフト外周部に貫通する傾斜孔と、該傾斜孔が臨むシャフト外周部に配置したワッシャ部を有し、
前記つまみは、前記シャフト部材にその頂部側より螺合され、先端が前記軸孔と傾斜孔を介してシャフト外周部に突出する外部リードをワッシャ部に圧接可能に構成した、
ターミナル装置。
【請求項２】
前記傾斜孔は、軸心に対する交差角度を鋭角に構成したターミナル装置。
【発明の詳細な説明】
【技術分野】
【０００１】
本発明は、音響再生用に使用されるスピーカ等に備えられ、外部リードを接続するターミナル装置に関するものである。
【背景技術】
【０００２】
従来、外部リードを接続するタイプのターミナル装置は、種々のものが提案され、採用されている。例えば、特許文献１に示されるように、電線５１の芯線部５２を、ブロック２１の電線挿入孔２２から挿入し、止めねじ４１の先端部とブロック２１の内側面との間に挟持して接続固定するものが知られている。また、特許文献２に示されるように、コード４７を電線挿入凹部１３，２８から端子部７と錠ばね９の間に挿入し、部材４のねじで締め付けて抜けないようにするものもある。
【０００３】
また、近年、音響再生機器用スピーカは５．１ｃｈホームシアター用として、ＤＶＤで映画鑑賞などを楽しむユーザーが増えてきている。一方、スピーカサイズは、テレビの大型化に伴い、スリムでトールボーイタイプの形状が要求されている。そこで、スピーカ入力用ターミナル装置としては、ハイファイ性が高い螺子式ターミナルで強固に配線を行い、高音質で映画、音楽を楽しむと同時に、トールボーイタイプのデザイン性を生かした小型化で、かつ、配線作業の簡単なターミナルの要求が増えている。
【０００４】
その一例として、例えば、図５に示すような螺子式ターミナルがあり、この図５において、ターミナルプレート１０にシャフト部材１１を保持し、その外周部に設けた螺子部に螺合するつまみ１２によって、外部リード１３を接続固定する構成として、シャフト部材１１に軸心に対して直角方向に形成した貫通孔１４に対してその横より外部リード１３の芯線部１３ａを挿入した後、つまみ１２を締め付けることにより固定することができる。なお、図５において、１６は装置内のリードが接続される接続片であり、シャフト部材１１と一体に形成した螺子軸１１ａに、ナット１７によりワッシャ１８と共に締め付け固定されている。この固定により、シャフト部材１１自体もターミナルプレート１０に取り付けられている。
【特許文献１】特開平９−３２０６６６号公報
【特許文献２】特開平１−１８９８７６号公報
【発明の開示】
【発明が解決しようとする課題】
【０００５】
このような従来のターミナル装置においては、外部リード１３を孔１４に挿入する際に、横方向から挿入するため、挿入スペース１５が大きく必要となり、ターミナルプレート１０が大型化になってしまう。また、直角方向貫通孔１４が、つまみ１２を十分戻さないと直接見えないため、挿入の作業性が悪いなどの問題点を有している。
【０００６】
本発明は、かかる課題を解決し、螺子式ターミナルでも、省スペースで、かつ、外部リードの取り付け作業を容易にできるスピーカへの入力用ターミナル等のターミナル装置を、提供することを目的とする。
【課題を解決するための手段】
【０００７】
本発明のターミナル装置は、ターミナルプレートに保持されその外周に螺子が施されたシャフト部材と、該シャフト部材に電気的に接続された接続片と、前記シャフト部材に螺合されて外部リードを圧接接続するつまみとを備えたターミナル装置であって、前記シャフト部材は、軸頂部より外部リードを軸方向に挿入可能に開けられた軸孔と、該軸孔の奥端部よりシャフト外周部に貫通する傾斜孔と、該傾斜孔が臨むシャフト外周部に配置したワッシャ部を有し、前記つまみは、前記シャフト部材にその頂部側より螺合され、先端が前記軸孔と傾斜孔を介してシャフト外周部に突出する外部リードをワッシャ部に圧接可能に構成したことを特徴とする。
【発明の効果】
【０００８】
本発明のターミナル装置は、前述のように構成したため、外部リードをシャフト部材の頂部より軸孔に挿入するのみで、その先端を傾斜孔によりガイドしてその先端をシャフト部材の外周部に突出させ、螺合したつまみにより締め付けるのみで、配線作業を極めて容易にかつ確実に出来るという効果がある。また、従来構成での挿入スペースが不要になる為、本装置が小型化できる効果もある。
【発明を実施するための最良の形態】
【０００９】
以下、本発明のターミナル装置を実施すための最良の形態について、図１から図３に基づいて、詳細に説明する。
【００１０】
（実施の形態１）
図１は本発明の第１の実施の形態におけるターミナル装置の断面図、図2はリードを挿入した状態でつまみにより圧接した状態の断面図を示し、図において、１はターミナルプレート、２はこのターミナルプレート１に保持されたシャフト部材、３はシャフト部材２電気的に接続された接続片、４はシャフト部材２の外周に螺合されるつまみ、５はシャフト部材２とつまみ４とによって圧接接続される外部リードである。また、６はシャフト部材２に一体に形成したボルト部２ｆに螺合されるナットであり、ワッシャ７を介在して接続片３をターミナルプレート１に圧接固定することにより、シャフト部材２と接続片３を電気的に接続すると共に、シャフト部材２をターミナルプレート１に保持するものである。ここで、接続片３は、ターミナルプレート１を取り付けた機器、例えばスピーカ装置等の内部回路に接続されるものである。
【００１１】
シャフト部材２は、その外周に螺子２ａが施され、その軸頂部２ｂより外部リード５の芯線５ａを挿入可能に軸孔２ｃが開けられ、この軸孔２ｃの奥端部より更に、シャフト部材２外周部に貫通する傾斜孔２ｄを開け、この傾斜孔２ｄが臨むシャフト部材２の外周部にはワッシャ部２ｅを配置形成している。外部リード５のむき出された芯線５ａを、軸孔２ｃに挿入することにより、このシャフト部材２の軸孔２ｃに連続して形成された傾斜孔２ｄの傾斜部にガイドされて突出し、その先端がワッシャ部２ｅに臨むことができる。
【００１２】
つまみ４は、シャフト部材２の外周に施された螺子２ａに螺合される螺子部４ａを形成すると共に、シャフト部材２の外周部に進退可能なように貫通孔４ｂを有する形状となっている。そして、外部リード５のむき出された芯線５ａの先端のシャフト外周部に突出する部分が、つまみ４の先端部４ｃによりワッシャ部２ｅに圧接されるようになっている。
【００１３】
図３に示すように、前述の軸孔２ｃと傾斜孔２ｄにおいて、シャフト部材２の軸心Ａに対する傾斜孔２ｄの中心線Ｂの交差角度αは、鋭角になるように構成している。この構成により、軸孔２ｃに挿入された外部リード５のむき出された芯線５ａの先端部を、軸孔２ｃから傾斜孔２ｄの傾斜部にガイドして、その先端部が、容易にシャフト部材２の外周部のワッシャ部２ｅに臨むことができるようになっている。
【００１４】
図４はターミナル装置の正面図であり、前述した断面図に示すような構成のターミナルが、例えば、スピーカ装置の入力用として、プラス側ターミナル８ａ、マイナス側ターミナル８ｂとして、それぞれ構成されている。その両ターミナル８ａ，８ｂは、それぞれ同一の構成であり、この図では同一の符号を付して説明する。この図4におけるＸ−Ｘ線の断面が、図1及び図2の構成である。
【００１５】
以上のように構成されたターミナル装置について、以下、外部リード５の接続固定における一連の動作について説明する。
【００１６】
まず、図1に示すように、つまみ４を緩めて、その先端４ｃより傾斜孔２ｄがシャフト部材２外周部に見える状態に後退させ、一方、外部リード５の先端部分の芯線５ａをむきだしにし、その芯線５ａの先端をシャフト部材２の頂部２ｂより、軸孔２ｃに挿入する。この時、軸孔２ｃより傾斜孔２ｄを目視することはできないが、軸孔２ｃへの挿入を進める（押し込む）だけで、芯線５ａの先端は傾斜孔２ｄにガイドされて、最終的に、シャフト部材２の外周部におけるワッシャ部２ｅに突出し、これを確認することができる。その状態で、つまみ４を螺合により締め付けることによって、やがて、ワッシャ部２ｅに突出している芯線５ａの部分を、つまみ４の先端部４ｃによりワッシャ部２ｅに対して、圧接固定することができる。
【００１７】
以上のように本形態によれば、外部リード５をシャフト部材２の頂部より軸孔２ｃに挿入するのみで、その先端を傾斜孔２ｄによりガイドしてその先端をシャフト部材２の外周部に突出させ、つまみ４を螺合して締め付けるのみで、配線作業を極めて容易にかつ確実に出来るという効果がある。また、従来構成での挿入スペースが不要になる為、本装置が小型化できる効果もある。
【産業上の利用可能性】
【００１８】
本発明のターミナル装置は、に備えられ、外部リードを接続する螺子式ターミナル装置として、特に、ユーザーによって接続が行われる機会が多い、スピーカ等の音響装置のターミナル装置として適用できる。
【図面の簡単な説明】
【００１９】
【図１】本発明の第１の実施の形態におけるターミナル装置の外部リードを挿入する前の状態の断面図
【図２】同ターミナル装置の外部リードを挿入した状態でつまみにより圧接した状態の断面図
【図３】同ターミナル装置の軸孔に対する傾斜孔の交差角度の説明図
【図４】同ターミナル装置の正面図
【図５】従来におけるターミナル装置の外部リードを挿入した状態の断面図
【符号の説明】
【００２０】
１  ターミナルプレート
２  シャフト部材
２ａ  螺子部
２ｂ  軸頂部
２ｃ  軸孔
２ｄ  傾斜孔
２ｅ  ワッシャ部
３  接続片
４  つまみ
５  外部リード
５ａ  芯線
【図１】
2007280834.tif 000003
【図２】
2007280834.tif 000004
【図３】
2007280834.tif 000005
【図４】
2007280834.tif 000006
【図５】
2007280834.tif 000007